(57)【特許請求の範囲】
【請求項１】
電池を収納可能な電池収納部と、
前記電池収納部に配置された端子板と、
前記電池収納部に配置され、前記電池収納部に収納された前記電池を所定方向に付勢する弾性部材と、
操作部を有し、前記電池の移動を規制する移動規制手段と、
を備え、
前記移動規制手段は、
前記操作部が第１の状態のとき、前記電池が前記電池収納部内において前記弾性部材による付勢方向に移動した第１の位置に位置することを許容し、
前記操作部が前記第１の状態から前記弾性部材による付勢方向と異なる方向へと操作された第２の状態のとき、前記電池が前記電池収納部内において前記弾性部材の弾性に抗して移動した第２の位置に位置するように前記電池の移動を規制し、
前記端子板は、前記電池が第１の位置にあるとき前記電池と接触可能であり、
前記電池が第２の位置にあるとき、前記電池と離間可能であることを特徴とする電池ボックス。
【請求項２】
前記操作部を第１の状態から第２の状態にするための操作は、弾性部材による付勢方向と略垂直な平面内での操作であることを特徴とする請求項１記載の電池ボックス。
【請求項３】
前記移動規制手段は、前記操作部が第２の状態とされたとき、前記操作部が前記電池を押して前記弾性部材の弾性に抗して前記電池収納部内において移動させることを特徴とする請求項１または２記載の電池ボックス。
【請求項４】
前記移動規制手段は、前記弾性部材により付勢された前記電池と当接し、当該電池とともに前記電池収納部内を移動可能な移動規制部材を有し、
前記操作部は、第２の状態とされたとき、前記移動規制部材を押すことにより当該移動規制部材と当接する前記電池を押して、前記弾性部材の弾性に抗して前記電池収納部内において移動させることを特徴とする請求項３記載の電池ボックス。
【請求項５】
前記操作部、または、前記移動規制部材のいずれか一方には突起が設けられており、
前記操作部は、前記第２の状態とされたとき、前記突起を介して前記移動規制部材を押すことを特徴とする請求項４記載の電池ボックス。
【請求項６】
前記操作部、または、前記移動規制部材の他方には、前記突起が進入可能な孔が設けられており、
前記操作部が第１の状態のとき、前記突起が前記孔に進入することにより、前記移動規制部材は前記電池とともに前記弾性部材による付勢方向へと移動可能となることを特徴とする請求項５記載の電池ボックス。
【請求項７】
前記電池収納部は、側壁部を有し、
前記操作部は、前記側壁部に軸支されて配置される回動つまみであり、
前記回動つまみは第１の状態から回転操作されることにより第２の状態とされることを特徴とする請求項１乃至６のいずれか１項記載の電池ボックス。
【請求項８】
電池ボックスは、走行玩具の車体に組み込まれていることを特徴とする請求項１乃至７のいずれか１項記載の電池ボックス。
【発明の詳細な説明】
【技術分野】
【０００１】
本発明は電池ボックスに係り、たとえば走行玩具等に組み込まれる電池ボックスに関する。
【背景技術】
【０００２】
電池ボックスは、通常、電池が収納される室（電池収納室）の一方の端部には端子板が形成され他方の端部にはたとえばスプリング等からなる弾性端子が設けられて形成されている。そして、この電池ボックスに電池を収納した時点で、電池のプラス電極とマイナス電極が、それぞれ、前記端子板と前記弾性端子に当接され、電気的に接続されるようになっている。したがって、電池ボックス内の電池によってたとえばモータ等を駆動させる場合、電池ボックスとモータ等の間は独立に構成されたスイッチを介在させ、このスイッチの操作によってモータ等を駆動させるか、端子板をプラス電極に対して移動させることにより、プラス電極と接触、離間状態を切り替えるようになっている。
【０００３】
また、電池ボックスの他の例として、たとえば下記特許文献１に示すものが開示されている。すなわち、電池収納室に収納された電池は、その長手方向に若干スライドできる状態で配置できるようになっている。電池は、電池収納室を閉塞する蓋体に形成されたリブによって係止され、蓋体のスライドに応じてスライドできるようになっている。電池収納室の一方の端部には端子板が形成され他方の端部にたとえばスプリング等からなる弾性端子が設けられている。蓋体の一方の方向へのスライドによって、電池は、そのプラス電極が前記端子板から離間されるようにスライド（弾性端子に抗して）され、蓋体の他方の方向へのスライドによって、電池は、そのプラス電極が前記端子板に当接するようにスライド（弾性端子に付勢されて）されるようになっている。このような構成からなる電池ボックスは、蓋体においてスイッチの機能を合わせもつように構成されたものとなっている。
【先行技術文献】
【特許文献】
【０００４】
【特許文献１】公開実用  昭和５５−４０９９６号公報
【発明の概要】
【発明が解決しようとする課題】
【０００５】
しかし、特許文献１に記載された電池ボックスは、電池収容室内での電池のスライド方向と蓋体がスライドする方向が略平行であることから、電池ボックスが衝撃を受けて電池が電池収容室内でスライドすると、それに応じて蓋体も一体となって容易にスライドしてしまう。その結果、衝撃を受けると電池のプラス電極と端子板が離間してスイッチがオフ状態になる、または、電池のプラス電極と端子板が接触してスイッチがオン状態になるというおそれがあった。
【０００６】
本発明は、衝撃を受けても不意にスイッチがオフ状態またはオン状態になるおそれを低減した電池ボックスを提供することにある。
【課題を解決するための手段】
【０００７】
本発明に係る電池ボックスは、電池を収納可能な電池収納部と、電池収納部内面に配置された端子板と、前記電池収納部に配置され、前記電池収納部に収納された前記電池を所定方向に付勢する弾性部材と、操作部を有し前記電池の移動を規制する移動規制手段と、を備え、前記移動規制手段は、前記操作部が第１の状態のとき、前記電池が前記電池収納部内において前記弾性部材による付勢方向に移動して第１の位置にあることを許容し、前記操作部が第１の状態から前記弾性部材による付勢方向と異なる方向へと操作された第２の状態のとき、前記電池が前記電池収納部内において前記弾性部材の弾性に抗して移動した第２の位置に位置するように前記電池の移動を規制することが可能であることを特徴とする。また、本発明に係る電池ボックスは、電池を収納可能な電池収納部と、前記電池収納部に配置された端子板と、前記電池収納部に配置され、前記電池収納部に収納された前記電池を所定方向に付勢する弾性部材と、操作部を有し、前記電池の移動を規制する移動規制手段と、を備え、前記移動規制手段は、前記操作部が第１の状態のとき、前記電池が前記電池収納部内において前記弾性部材による付勢方向に移動した第１の位置に位置することを許容し、前記操作部が前記第１の状態から前記弾性部材による付勢方向と異なる方向へと操作された第２の状態のとき、前記電池が前記電池収納部内において前記弾性部材の弾性に抗して移動した第２の位置に位置するように前記電池の移動を規制し、前記端子板は、前記電池が第１、第２の位置のいずれか一方の位置にあるとき前記電池と接触可能であり、前記電池が他方の位置にあるとき、前記電池と離間可能であることを特徴とする。また、本発明に係る電池ボックスは、電池を収納可能な電池収納部と、前記電池収納部に配置された端子板と、前記電池収納部に配置され、前記電池収納部に収納された前記電池を所定方向に付勢する弾性部材と、操作部を有し、前記電池の移動を規制する移動規制手段と、を備え、前記移動規制手段は、前記操作部が第１の状態のとき、前記電池が前記電池収納部内において前記弾性部材による付勢方向に移動した第１の位置に位置することを許容し、前記操作部が前記第１の状態から前記弾性部材による付勢方向と異なる方向へと操作された第２の状態のとき、前記電池が前記電池収納部内において前記弾性部材の弾性に抗して移動した第２の位置に位置するように前記電池の移動を規制し、前記端子板は、前記電池が第１の位置にあるとき前記電池と接触可能であり、前記電池が第２の位置にあるとき、前記電池と離間可能であることを特徴とする。
【０００８】
また、本発明に係る電池ボックスにおいては、前記操作部を第１の状態から第２の状態にするための操作は、弾性部材による付勢方向と略垂直な平面内での操作であるようにしても良い。
【０００９】
また、本発明に係る電池ボックスにおいては、前記移動規制手段は、前記操作部が第２の状態とされたとき、前記操作部が前記電池を押して前記弾性部材の弾性に抗して前記電池収納部内において移動させるようにしても良い。
【００１０】
また、本発明に係る電池ボックスにおいては、前記移動規制手段は、前記弾性部材により付勢された前記電池と当接し、当該電池とともに前記電池収納部内を移動可能な移動規制部材を有し、前記操作部は、第２の状態とされたとき、前記移動規制部材を押すことにより当該移動規制部材と当接する前記電池を押して、前記弾性部材の弾性に抗して前記電池収納部内において移動させるようにしても良い。
【００１１】
また、本発明に係る電池ボックスにおいては、前記操作部、または、前記移動規制部材のいずれか一方には突起が設けられており、前記操作部は、前記第２の状態とされたとき、前記突起を介して前記移動規制部材を押すようにしても良い。
【００１２】
また、本発明に係る電池ボックスにおいては、前記操作部、または、前記移動規制部材の他方には、前記突起が進入可能な孔が設けられており、前記操作部が第１の状態のとき、前記突起が前記孔に進入することにより、前記移動規制部材は前記電池とともに前記弾性部材による付勢方向へと移動可能となるようにしても良い。
【００１３】
また、本発明に係る電池ボックスにおいては、前記電池収納部は、側壁部を有し、前記操作部は、前記側壁部に軸支されて配置される回動つまみであり、前記回動つまみは第１の状態から回転操作されることにより第２の状態とされるようにしても良い。
【００１４】
また、本発明に係る電池ボックスにおいては、前記端子板は、前記電池が第１の位置にあるとき前記電池と接触可能であり、前記電池が第２の位置にあるとき、前記電池と離間可能であるようにしても良い。
【００１５】
また、本発明に係る電池ボックスは、走行玩具の車体に組み込まれているようにしても良い。
【発明の効果】
【００１６】
上述した本発明の電池ボックスによれば、衝撃を受けても不意にスイッチがオフ状態またはオン状態になるおそれを低減した電池ボックスを提供することができる。
【図面の簡単な説明】
【００１７】
【図１】本発明の電池ボックスを示す上面図で、スイッチがオフおよびオンの状態を示している。
【図２】本発明の電池ボックスに組み込まれる回動つまみおよび回動板の実施例を示す構成図である。
【図３】本発明の電池ボックスに組み込まれる移動規制部材の実施例を示す構成図である。
【図４】本発明の電池ボックスに組み込まれる端子支持板の実施例を示す構成図である。
【図５】本発明の電池ボックスに組み込まれるカバー体の実施例を示す構成図である。
【図６】本発明の電池ボックスが適用される走行玩具で、電池ボックスに蓋体を取り付けた状態と電池ボックスから蓋体を外した状態を示す上面図である。
【発明を実施するための形態】
【００１８】
以下、本発明に係る好適な実施の形態について、図面を参照しながら詳細に説明する。なお、各図において同符号を示す部材は同一あるいは同機能の部材を示している。
（実施態様１）
【００１９】
図６（ａ）は、本発明の電池ボックスが適用されている走行玩具を示す上面図である。図６（ａ）に示す走行玩具１００は、たとえば成形樹脂から構成される車体１に４個の車輪２が取り付けられている。車体１の前方（図中左側）に取り付けられる一対の前方車輪２の車軸３と、車体１の後方に取り付けられる一対の後方車輪２の車軸４は、それぞれ車体に内蔵されるモータ（図示せず）によって回転できるようになっている。モータは、たとえば車体１のほぼ中央に配置され、車体１の前後方向に突出する回転軸の回転を、それぞれ、たとえばウォームギャを介して、前方車輪２の車軸３および後方車輪２の車軸４に伝導させるようになっている。そして、前記モータを駆動させる電池は該モータの上方において車体１に内蔵されている。
【００２０】
図６（ｂ）は、図６（ａ）の走行玩具１００において、車体１の一部を構成する蓋体５を取り外した状態を示す上面図である。図６（ｂ）において、車体１内には電池６が配置されている。電池６は、その中心軸が車体１の長手方向に一致づけられて配置されている。電池６は、図中右側の端面に突起部からなるプラス電極６ａを備え、図中左側の端部に平坦面からなるマイナス電極（図１にて符号６ｂで示す）を備えるようにして配置されている。そして、電池６のプラス電極６ａ側には、電池収納室（本発明にいう「電池収納部」）７を構成する第１側壁部（本発明にいう「側壁部」）８が形成され、この第１側壁部８には、回動つまみ（本発明にいう「操作部」）１０が設けられている。この回動つまみ１０は、電池６の中心軸とほぼ同軸となる軸（図１にて符号１０ｃで示す）を有し、この軸１０ｃは第１側壁部８に支軸されている。回動つまみ１０は、後に詳述するが、その回転によって移動規制部材（図１にて符号４０で示す）を移動させることができ、この移動にともなって電池６を移動させることができる。また、端子板２０を支持する端子支持板２１が電池６のプラス電極６ａに対向するように固定されており、電池６の電池収納室７内での移動によって、電池６のプラス電極６ａと端子板２０との接触、離間（非接触）がなされるようになっている。
【００２１】
なお、図６（ａ）、（ｂ）では、車体１の前方にキャラクタの頭部９が取り付けられ、この頭部９は、走行玩具１００の走行時に、前方の車軸３に取り付けられたカムを介して前後方向に往復移動できるように構成されている。玩具としての興趣を向上させんがためである。また、図６（ａ）、（ｂ）に示す走行玩具１００は、一実施例を示したものである。このため、走行玩具として他の種類のものであってもよく、また、走行玩具に限定されることもない。
【００２２】
図１（ａ）、（ｂ）は、前記走行玩具１００のうち電池ボックスのみを示した上面を一部透視的に描いた図である。図１（ａ）は、電池６のプラス電極６ａが端子板２０と離間している（非接触の）状態（オフ）を示している。これに対し、図１（ｂ）は、図１（ａ）と対応づけて描かれた図で、電池６のプラス電極６ａが端子板２０と接触した状態（オン）を示している。
【００２３】
図１（ｂ）において、まず、電池収納室７に収納された電池６のマイナス電極６ｂ側には第２側壁部１２を有し、この第２側壁部１２にはたとえばスプリングからなる弾性端子１３（本発明にいう「弾性部材」）が取り付けられている。電池収納室７に配置される電池６は、この弾性端子１３によって、常時、プラス電極６ａ側の方向（図中α方向、本発明にいう「弾性部材による付勢方向」）に付勢されることになる。図１（ｂ）の状態においては、後述する移動規制手段における操作部（回転つまみ１０）は第１の状態にあり、電池６の電池収納室７内における弾性端子１３による付勢方向（図中α方向）への移動が許容されているため、電池６は弾性端子１３の弾性により図中α方向（弾性部材による付勢方向）に移動して本発明にいう第１の位置にある。このとき、電池６のプラス電極６ａは端子板２０に接触している。
【００２４】
また、図１（ａ）の状態では、電池６は、後述する移動規制手段によって前記付勢による移動が規制されている。換言すれば、後述する移動規制手段によって、前記弾性端子１３の弾性に抗して電池６は電池収納室７内である位置（本発明にいう「第２の位置」）へと移動させられている。なお、本実施形態においては、第２の位置は、第１の位置よりも弾性端子１３側の位置であり、このとき、電他６のプラス電極６ａは後述の端子板２０と離間されており、非接触状態となっている。
【００２５】
次に、本発明における移動規制手段について説明する。移動規制手段は操作部を有し、本実施形態では回動つまみ１０が相当する。また、本実施形態においては、移動規制手段は移動規制部材４０をも有している。以下、個々に詳述する。
【００２６】
＜操作部（回動つまみ１０）＞
図１（ｂ）に示すように、第１側壁部８の外側には、本発明でいう操作部である回動つまみ１０が設けられている。当該回動つまみ１０は、図１（ｂ）に示す第１の状態から、弾性端子１３による付勢方向αとは異なる方向への操作（例えば、弾性端子１３による付勢方向αと角度θをなす方向（ただし、０°＜θ＜１８０°）への操作、または、回転操作）を行うことにより、図１（ａ）に示す第２の状態とすることが可能である。なお、本実施形態においては、最も好適と思われる、前述の回動つまみ１０に対する操作が、弾性端子１３による付勢方向αと略垂直な平面内での回転操作である場合（前記角度θが約９０°の場合での回転操作）を例として説明する。すなわち、この回動つまみ１０は、第１側壁部８の外側から観た場合、たとえば図２（ａ）に示すように、平板１０ａにつまみ１０ｂが取り付けられた構成となっている。また、平板１０ａにはつまみ１０ｂが形成された側とは反対側に軸１０ｃを有して構成されている。回動つまみ１０の軸１０ｃは第１側壁部８に軸支され、これにより、回動つまみ１０は軸１０ｃを中心に回動できるようになっている。すなわち、操作部である回動つまみ１０は、図１（ｂ）に示す第１の状態から、弾性端子１３による付勢方向αと略垂直な平面内で（弾性端子７による付勢方向αに対して約９０°をなす方向で、図から観者へ向かう方向で、または、第１側壁部８の外側から見て反時計回りの方向で）操作（回転操作）することにより、図１（ａ)に示す第２の状態とすることが可能である。
【００２７】
図１（ｂ）に戻り、第１側壁部８の内側（電池収納室７側）には回動板３０が配置されている。この回動板３０は、第１側壁部８の内側から観た場合、たとえば図２（ｃ）に示すように、平板３０ａに突起３０ｂが形成された構成となっている。突起３０ｂは、平板３０ａ周辺部においてその円周方向の一部に形成されている。この突起３０ｂは、平板３０ａの周方向に沿った断面が緩やかな山形状に形成されている（図２（ｃ）参照）。また、平板３０ａには突起３０ｂが形成された側とは反対側に軸１０ｃを有して構成されている。この軸１０ｃは、回動つまみ１０に形成された前記軸１０ｃと同一となっている。これにより、回動板３０は回動つまみ１０と一体となって回動するため、回動つまみ１０の回転にともなって、突起３０ｂも移動することになる。なお、図２（ｃ）は、前記軸１０ｃを介して一体化された回動つまみ１０と回動板３０を上方から観た上面図である。回動つまみ１０と回転板３０の間には前記第１側壁部８が位置付けられるようになる。
【００２８】
＜移動規制部材４０＞
図１（ｂ）に戻り、回動板３０に対して電池６側には該回動板３０に対向するようにして移動規制部材４０が配置されている。移動規制部材４０は、電池収納室７内に移動可能に配置されており、また、弾性端子７により付勢された電池６と当接している。したがって、移動規制部材４０は、電池６と当接しつつ、電池６とともに電池収納室７内を移動可能である。また、本実施形態においては、この移動規制部材４０は、回動板３０に対向して配置される平板部４０ａと、後述する端子支持板２１の両脇に配置される延在部４０ｂと、この延在部４０ｂの先端に設けられる係止部４０ｃとから構成されている。係止部４０ｃは、一対の延在部４０ｂに対して内側に屈曲された屈曲部によって構成されており、当該屈曲部において電池６と当接している。図３は、移動規制部材４０をその係止部４０ｃ側から観た斜視図である。図３に示すように、平板部４０ａには孔４０ｅが形成されている。この孔４０ｅは、前記回動板３０の回動によって、該回動板３０に形成された前記突起３０ｂが進入することが可能となるように形成されている。
【００２９】
なお、図１（ｂ）は移動規制部材４０の平板部４０ａの孔４０ｅに突起３０ｂが進入している状態を示している。このように、突起３０ｂが孔４０ｅに進入していると、移動規制部材４０は突起３０ｂにより押されないため、突起３０ｂが孔４０ｅに進入する分だけ、電池６とともに弾性端子１３による付勢方向（図中α方向）へと移動可能となっている。そして、この状態（本発明にいう「第１の位置」）では、移動した電池６のプラス電極６ａは端子支持板２１の端子板２０に接触している。すなわち、オンの状態となっている。
【００３０】
また、図１（ａ）の場合、移動規制部材４０の平板部４０ａの孔４０ｅに回動板３０の突起３０ｂが進入していない状態となっている。そのため、該突起３０ｂの高さに応じた距離だけ移動規制部材４０は図中α方向と反対側の方向に押されて移動した状態となっている。すなわち、移動規制部材４０は突起３０ｂを介して押されていることになる。また、移動規制部材４０の係止部４０ｃは、電池６のプラス電極６ａ側の端面であってプラス電極６ａの部分を除く周辺に当接しているので、移動規制部材４０の移動に伴って電池６を押して、弾性端子１３の弾性に抗して電池収納室７内を移動させるようになっている。すなわち、移動規制部材４０は、弾性端子１３による付勢によって図中α方向（付勢方向）に電池が移動することを規制するようになっている。そして、この状態（本発明にいう「第２の位置」）では、電池６のプラス電極６ａは端子支持板２１の端子板２０から離間して、電池６のプラス電極６ａと端子板２０との電気的接触はなされていないようになっている。すなわち、オフの状態となっている。
【００３１】
以下、その他の構成についても説明する。
図１（ａ）に示すように、端子支持板２１は、電池６側において移動規制部材４０の平板部４０ａに対向して設けられている。この端子支持板２１は電池収納室７に対して固定され、電池６側の面には端子板２０が取り付けられている。図４は、端子支持板２１を電池側から観た斜視図である。図４において、端子支持板２１は電池収納室７の底部から植設され、電池６側の面にはたとえば金属板からなる端子板２０が配置されている。端子板２０は、電池６のプラス電極６ａと接触すべく部分において半球状の突出部２０ａが形成されているともに、電池収納室７の底部に形成された開口７ａを通して、図示しないモータ側に引き出されるようになっている。なお、図４において、端子支持板２１の端子板２０が形成されている面と反対側の面側に、上端面に円弧状の切り欠き８ｂが設けられた壁板８ａが植設されている。この壁板８ａは、図５に示すカバー体５０とともに、前記第１側壁部８の一部を構成するようになっている。すなわち、図５に示すカバー体５０は、切り欠き５０ｂが形成された外壁部５０ａを備えて構成され、前記壁板８ａの切り欠き８ｂと前記外壁部５０ａの切り欠き５０ｂとで、回動つまみ１０および回動板３０の共通な軸１０ｃを支軸する孔を構成するようになっている。なお、カバー体５０には、電池６側に延在する一対の延在部５０ｃを有し、これら延在部５０ｃの内側に移動規制部材４０および端子支持板２１が配置されるようになっている。カバー体５０の各延在部５０ｃは、移動規制部材４０の移動の際のガイド壁としての機能を有するようになっている。また、各延在部５０ｃの上端には内側に屈曲する係止部５０ｄを備え、前記移動規制部材４０が上方へ抜け出してしまうのを回避するようになっている。また、各延在部５０ｃのそれぞれの下端には挿入部５０ｅが形成され、これら挿入部５０ａは、図４に示すように、電池収納室７の底部に形成された溝７０ｂに挿入されて、該カバー体５０の電池収納室７への取り付けがなされるようになっている。
【００３２】
さて、このように構成された電池ボックスにおいては、操作部に相当する回動つまみ１０は、図１（ｂ）の状態（本発明にいう「第１の状態」）から図１（ａ）に示すように、弾性端子１３による付勢方向（図中α方向）と異なる方向への操作（例えば、角度θをなす方向（ただし、０°＜θ＜１８０°）への操作、または、回転操作）を行うことにより第２の状態とすることができる、なお、本実施形態では、回動つまみ１０を、第１の状態から、第１側壁部８の外側から観て、反時計回りに９０°回動させる、すなわち、弾性端子１３による付勢方向αと略垂直な平面内で（弾性端子１３による付勢方向αと約９０°をなす方向で）回転操作すると、第２の状態となる。また、このとき、回動板３０も同様に回動されるので、回動つまみ１０が第２の状態にあるときには、回動板３０に形成されている突起３０ｂも移動して、移動規制部材４０に形成されている孔４０ｅから脱することになる。なお、突起３０ｂの断面は図２（ｃ）に示したように山形状に形成されているため、突起３０ｂの移動規制部材４０の孔４０ｅからの進入、脱却はスムーズに行われるようになっている。さて、突起３０ｂが孔４０ｅから脱すると、移動規制部材４０は突起３０ｂにより押されることになり、突起３０ｂの高さ分だけ弾性端子１３の弾性に抗して図中α方向とは逆の方向へ移動する。これにともない、電池６も移動規制部材４０と同様に移動し、電池６のプラス電極６ａは端子支持板２１の端子板２０から離間（非接触、オフの状態）する。これにより、走行玩具１００に内蔵されているモータは駆動を停止するようになる。
【００３３】
電池ボックスを図１（ａ）に示す状態から図１（ｂ）に示す状態に移行させるには、回動つまみ１０を、第１側壁部８の外側から観て、時計回りに９０°回動させて（弾性端子１３による付勢方向αと略垂直な平面内で回転操作して）第１の状態とすれば良い。このとき、回動板３０も同様に回動され、該回動板３０に形成されている突起３０ｂは、移動規制部材４０に形成されている孔４０ｅに進入する。結果、弾性端子１３の弾性により図中α方向に付勢されている移動規制部材４０は、突起３０ｂが孔４０ｅに進入する分だけ電池６とともに図中α方向へと移動することになり、すなわち、電池６の移動が許容されることになる。これにともない、電池６のプラス電極６ａは端子支持板２１の端子板２０と接触（オンの状態）する。これにより、走行玩具１００に内蔵されているモータは駆動するようになる。
【００３４】
このように構成された電池ボックスは、操作部（回動つまみ１０）に対して、弾性端子１３による付勢方向と異なる方向への操作（例えば、角度θをなす方向（ただし、０°＜θ＜１８０°）への操作、または、回転操作）を行うことによって、電池６の電池収納室７内での移動を行わしめ、これにより電池６のプラス電極６ａと端子板２０との接触、離間を図らんとしたものである。すなわち、電池６の電池収納室７内での移動方向は弾性端子１３による付勢方向と略平行であるが、これに対し、操作部（回動つまみ１０）を第１の状態から第２の状態、または、第２の状態から第１の状態にするために操作する方向は、弾性端子１３による付勢方向と異なる方向であり、すなわち、平行な方向ではない。したがって、衝撃等により電池収納室７内で電池６が移動しようとしても、その移動しようとする方向と、操作部（回動つまみ１０）が第１の状態から第２の状態、または、第２の状態から第１の状態になるために操作される方向とが平行でないので、容易には操作部（回動つまみ１０）は第１の状態と第２の状態の間で動いてしまうことはない。その結果として電池収納室７内での電池６の移動も規制され、スイッチが不意にオン、オフされるおそれが低減されている。
【００３５】
なお、従来は電池ボックスに収納する電池６は種類が多くなかったため、端子板２０の方をプラス電極６ａに対して移動させることにより、プラス電極６ａと接触、離間させてオン、オフするように構成された従来構成の電池ボックスであっても電気的接続にはなんら問題はなかった。
しかし、マンガン電池、アルカリ電池、あるいはエボルタ電池等、近年の電池の種類が多様化しており、これら種類の異なる電池は、突起部として形成されるプラス電極６ａの突出高さがそれぞれ異なっているのが現状である。
このため、前述のような従来構成の電池ボックスにあっては、電気的接続に不具合が生じるようになっていた。すなわち、プラス電極６ａの突出高さが大きい電池６を使用した場合、端子板２０をプラス電極６ａから離間させようとしても接触状態が保たれてしまうことがあった。また、そのような突出高さが大きい電池６を長期間の収納の後には端子板２０が変形してしまう場合があった。そのため、後日、たとえばプラス電極６ａの突出高さの小さな種類の電池６を収納しようとする場合には、端子板２０とプラス電極６ａを接触させようとしても接触させることができず、電気的接続に不良が生じるという不都合が往々にして生じていた。本発明の電池ボックスは、電池ボックスに対して電池６を移動できるようにし、この移動に応じて、電池ボックス内に形成されている端子板と電池のプラス電極との接触（オン）および非接触（オフ）を図るようにしていことから、前記のような、電池６の種類の多様化に応じて生じてきた新たな不具合を回避できるという効果も奏し得る。
【００３６】
また、本発明において、移動規制部材４０の移動のストロークを比較的大きくし（たとえば突起３０ｂの高さを大きくする）、電池６のプラス電極６ａと端子板２０との接触の後にあっても前記移動規制部材４０の移動が行われる遊びを設けることによって、プラス電極６ａの高さの異なる各種の電池６を収納し得る電池ボックスを得ることができる。ちなみに、特許文献１に示される電池ボックスでは、電池のスライドのストロークは蓋体のスライドのストロークによって一義的に定まり、上述した遊びがないことから、他種の電池を収納することが困難となる不都合が生じる。
【００３７】
上述した実施態様では、移動規制手段には移動規制部材４０を有するものを示したが、移動規制部材４０は必須ではない。すなわち、操作部（回転つまみ１０）が、第２の状態とされたとき、直接電池６を押すようにしても良い。また、回動つまみ１０の側に突起３０ｂを設けたが、移動規制部材４０の側に設けるようにして、回動つまみ１０の側に孔４０ｅを形成することにしてもよい。同様の効果が得られるからである。また、本実施形態では、電池６のマイナス電極６ｂと接する弾性端子１３をもって弾性部材としているが、マイナス電極６ｂと接する端子とは別に、弾性部材を設けることとしても良いことはいうまでもない。
【００３８】
また、回動板３０の回動に対する移動規制部材４０の移動は上述したものに限定されることはなく、他の構成によって達成するようにしてもよいことはもちろんである。たとえば、移動規制部材４０の回動板と対向する面に突起３０ｂを形成し、この突起に当接される回動板の面を軸に対して傾斜をもった面として形成するようにしてもよい。回転板の回動によって前記突起３０ｂに接触する部分が軸方向に変動するようにできるからである。
【００３９】
上述した実施態様では、電池ボックスは走行玩具に備えられたものを例に挙げて示したものである。しかし、走行玩具に備えられたものに限定されることはなく、静止玩具、あるいは電子機器等に備えられるように構成してもよく、また、電池ボックス単独で構成するようにしてもよいことはもちろんである。同様の効果を奏するからである。
【００４０】
また、本発明にかかる車両玩具は、樹脂から作られる構成としたが、本発明はこれに限定されず、金属や木材などから構成されていてもよいことはもちろんである。
【符号の説明】
【００４１】
１……車体、２……車輪、３、４……車軸、５……蓋体、６……電池、６ａ……プラス電極、６ｂ……マイナス電極、７……電池収納室、７ａ……開口、７ｂ……溝、８……第１側壁部、８ａ……壁板、８ｂ……切り欠き、１０……回動つまみ、１０ａ……平板、１０ｂ……つまみ、１０ｃ……軸、１２……第２側壁部、
２０……端子板、２０ａ……突出部、２１……端子支持板、３０……回動板、３０ａ……平板、３０ｂ……突起、４０……移動規制部材、４０ａ……平板部、４０ｂ……延在部、４０ｃ……係止部、４０ｅ……孔、５０……カバー体、５０ａ……外壁部、５０ｂ……切り欠き、５０ｃ……延在部、５０ｄ……係止部、５０ｅ……挿入部、１００……走行玩具。
【図１】
0005613526.tif 000002
【図２】
0005613526.tif 000003
【図３】
0005613526.tif 000004
【図４】
0005613526.tif 000005
【図５】
0005613526.tif 000006
【図６】
0005613526.tif 000007